(57)【要約】【課題】記録ヘッドから液体を吐出することに伴って発生するミストがヘッドユニットに付着することを抑制する。【解決手段】ノズルＮから液体を吐出可能な記録ヘッド７を複数有するサブキャリッジ２１と、孔部４０を有し、孔部４０からノズルＮが形成されるノズル形成面３５が露出する配置で、サブキャリッジ２１を複数取り付けるプレート部２０と、を備え、サブキャリッジ２１同士の間は、ノズル形成面３５と交差する交差方向Ｇにプレート部２０を挟んで連通しているヘッドユニット１９。【選択図】図４
2016137648.tif 000002
【特許請求の範囲】
【請求項１】
ノズルから液体を吐出可能な記録ヘッドを複数有するサブキャリッジと、
孔部を有し、前記孔部から前記ノズルが形成されるノズル形成面が露出する配置で、前記サブキャリッジを複数取り付けるプレート部と、を備え、
前記サブキャリッジ同士の間は、前記ノズル形成面と交差する交差方向に前記プレート部を挟んで連通していることを特徴とするヘッドユニット。
【請求項２】
請求項１に記載のヘッドユニットにおいて、
前記サブキャリッジ同士の間に気流を発生させる気流発生部を備えることを特徴とするヘッドユニット。
【請求項３】
請求項１又は２に記載のヘッドユニットにおいて、
前記サブキャリッジのうち前記プレート部の一端側に取り付けられる一端側サブキャリッジと、前記孔部における前記プレート部の一端側の端部と、の間は、前記交差方向に前記プレート部を挟んで連通していることを特徴とするヘッドユニット。
【請求項４】
請求項１から３のいずれか１項に記載のヘッドユニットにおいて、
前記サブキャリッジ同士の間隔は、５ｍｍ以上６０ｍｍ以下であることを特徴とするヘッドユニット。
【請求項５】
請求項１から４のいずれか１項に記載のヘッドユニットを備えることを特徴とする記録装置。
【請求項６】
請求項５に記載の記録装置において、
前記ヘッドユニットと被記録媒体とを相対的に移動させる移動部と、
前記ヘッドユニットと前記被記録媒体との相対移動方向と交差する方向に前記被記録媒体を間欠搬送させる搬送部を備え、
前記移動部は、前記間欠搬送の停止時に前記ヘッドユニットと前記被記録媒体とを相対的に移動させることを特徴とする記録装置。
【請求項７】
請求項６に記載の記録装置において、
複数の前記サブキャリッジは、前記プレート部に、前記相対移動方向に並べて設けられることを特徴とする記録装置。
【請求項８】
請求項５に記載の記録装置において、
前記ヘッドユニットに対して前記被記録媒体を搬送する搬送部を備え、
前記記録ヘッドは、前記被記録媒体の搬送方向と交差する方向に前記ノズルが並べられるラインヘッドであることを特徴とする記録装置。
【発明の詳細な説明】
【技術分野】
【０００１】
本発明は、ヘッドユニット及び記録装置に関する。
【背景技術】
【０００２】
従来から、被記録媒体に対してインクなどの液体を吐出して記録する記録ヘッドを備える、記録装置が使用されている。このような記録装置においては、記録ヘッドから液体を吐出することに伴って発生するミストがヘッドユニットに付着する場合がある。そこで、このようなミストの付着を抑制することを目的とした記録装置が開示されている。  
例えば、特許文献１には、インクミスト捕集部材をキャリッジに設け、ヘッドユニットしてのキャリッジを移動することに伴う気流により、ミストの付着を抑制することを目的とした記録装置が開示されている。
【先行技術文献】
【特許文献】
【０００３】
【特許文献１】特開２００８−９３８４９号公報
【発明の概要】
【発明が解決しようとする課題】
【０００４】
しかしながら、特許文献１の記録装置は、発生するミストの全てをインクミスト捕集部材で捕集することを前提としているが、吐出する液滴のサイズなどによってはインクミスト捕集部材で捕集しきれない場合がある。そして、このような場合、ミストがヘッドユニットに付着する場合がある。
【０００５】
そこで、本発明の目的は、記録ヘッドから液体を吐出することに伴って発生するミストがヘッドユニットに付着することを抑制することである。
【課題を解決するための手段】
【０００６】
上記課題を解決するための本発明の第１の態様のヘッドユニットは、ノズルから液体を吐出可能な記録ヘッドを複数有するサブキャリッジと、孔部を有し、前記孔部から前記ノズルが形成されるノズル形成面が露出する配置で、前記サブキャリッジを複数取り付けるプレート部と、を備え、前記サブキャリッジ同士の間は、前記ノズル形成面と交差する交差方向に前記プレート部を挟んで連通していることを特徴とする。
【０００７】
本発明の第２の態様のヘッドユニットは、前記第１の態様において、前記サブキャリッジ同士の間に気流を発生させる気流発生部を備えることを特徴とする。
【０００８】
本発明の第３の態様のヘッドユニットは、前記第１又は第２の態様において、前記サブキャリッジのうち前記プレート部の一端側に取り付けられる一端側サブキャリッジと、前記孔部における前記プレート部の一端側の端部と、の間は、前記交差方向に前記プレート部を挟んで連通していることを特徴とする。
【０００９】
本発明の第４の態様のヘッドユニットは、前記第１から第３のいずれか１つの態様において、前記サブキャリッジ同士の間隔は、５ｍｍ以上６０ｍｍ以下であることを特徴とする。
【００１０】
本発明の第５の態様の記録装置は、前記第１から第３のいずれか１つの態様のヘッドユニットを備えることを特徴とする。
【００１１】
本発明の第６の態様の記録装置は、前記第５の態様において、前記ヘッドユニットと被記録媒体とを相対的に移動させる移動部と、前記ヘッドユニットと前記被記録媒体との相対移動方向と交差する方向に前記被記録媒体を間欠搬送させる搬送部を備え、前記移動部は、前記間欠搬送の停止時に前記ヘッドユニットと前記被記録媒体とを相対的に移動させることを特徴とする。
【００１２】
本発明の第７の態様の記録装置は、前記第６の態様において、複数の前記サブキャリッジは、前記プレート部に、前記相対移動方向に並べて設けられることを特徴とする。
【００１３】
本発明の第８の態様の記録装置は、前記第５の態様において、前記ヘッドユニットに対して前記被記録媒体を搬送する搬送部を備え、前記記録ヘッドは、前記被記録媒体の搬送方向と交差する方向に前記ノズルが並べられるラインヘッドであることを特徴とする。
【発明の効果】
【００１４】
本発明によれば、記録ヘッドから液体を吐出することに伴って発生するミストがヘッドユニットに付着することを抑制することができる。
【図面の簡単な説明】
【００１５】
【図１】本発明の一実施例に係る記録装置を表す概略側面図。
【図２】本発明の一実施例に係る記録装置を表すブロック図。
【図３】本発明の一実施例に係る記録装置の要部を表す概略斜視図。
【図４】本発明の一実施例に係る記録装置の要部を表す概略底面図。
【図５】本発明の一実施例に係る記録装置の要部を表す概略正面図。
【図６】本発明の一実施例に係る記録装置の要部を表す概略側面図。
【発明を実施するための形態】
【００１６】
以下に、本発明の実施例に係る記録装置について、添付図面を参照して詳細に説明する。  
最初に、本発明の一実施例に係る記録装置１の概要について説明する。  
図１は、本実施例の記録装置１の概略側面図である。
【００１７】
本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送部としての搬送機構３を備えている。また、被記録媒体Ｐの搬送方向Ａと交差する往復移動方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００１８】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００１９】
搬送機構３は、繰出部２から繰り出された被記録媒体Ｐを載置して搬送する粘着性ベルト１０と、粘着性ベルト１０を移動させる駆動ローラーとしての搬送ローラー８と、従動ローラー９とを備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転し、粘着性ベルト１０は方向Ｅに移動する。  
ただし、搬送ベルトは粘着性ベルトに限定されない。例えば、静電吸着式の搬送ベルトを用いてもよい。
【００２０】
記録機構４は、ノズルＮ（図４参照）からインク（液体）を吐出可能な記録ヘッド７を複数有するサブキャリッジ２１を備え、該サブキャリッジ２１を複数（３つ）搭載するヘッドユニットとしてのキャリッジ（メインキャリッジ）１９を被記録媒体Ｐに対して往復移動方向Ｂに往復移動させる移動部としてのキャリッジモーター３０（図２参照）を有している。なお、図１において往復移動方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送（粘着性ベルト１０を間欠移動）させている。  
なお、キャリッジ１９の詳細な構成については後述する。
【００２１】
粘着性ベルト１０の洗浄機構１５は、複数の洗浄ローラーが回転軸方向に連結されて構成された洗浄ブラシ１３と、洗浄ブラシ１３を洗浄するための洗浄剤が入ったトレイ１４と、を有する。
【００２２】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２３】
なお、本実施例の記録装置１は、ロール状の被記録媒体Ｐを粘着性ベルト１０に支持させて搬送する記録装置であるが、このような構成の記録装置に限定されない。例えば、ロール状の被記録媒体Ｐのほか単票状の被記録媒体Ｐを、搬送部としてのローラー対で挟持して搬送可能な構成としてもよい。
【００２４】
次に、本実施例の記録装置１における電気的な構成について説明する。  
図２は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００２５】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３及びファンモーター３４を駆動させるためのモーター駆動部２９と接続されている。  
ここで、キャリッジモーター３０は、記録ヘッド７を搭載したキャリッジ１９を移動させるためのモーターである。また、搬送モーター３１は、搬送ローラー８を駆動するためのモーターである。また、繰出モーター３２は、回転軸５の回転機構であり、被記録媒体Ｐを搬送機構３に送り出すために回転軸５を駆動するモーターである。また、巻取モーター３３は、巻取軸１７を回転させるための駆動モーターである。そして、ファンモーター３４は、後述するファン２２（図３、図４及び図６参照）を駆動するモーターである。  
また、ＣＰＵ２４は、システムバス２５を介して、被記録媒体Ｐを切断するようカッター１６を駆動させるカッター駆動部３６と接続されている。  
さらに、ＣＰＵ２４は、システムバス２５を介して、入出力部３７と接続されており、入出力部３７は記録データ等を外部装置から入力するＰＣ３８と接続されている。
【００２６】
次に、本実施例の記録装置１の要部であるキャリッジ１９の構成について説明する。  
図３は本実施例のキャリッジ１９を表す概略斜視図である。また、図４は本実施例のキャリッジ１９を表す概略底面図である。また、図５は本実施例のキャリッジ１９を表す概略正面図（断面図）である。そして、図６は本実施例のキャリッジ１９を表す概略側面図（断面図）である。
【００２７】
図３から図６で表されるように、本実施例のキャリッジ１９は、ノズルＮからインクを吐出可能な記録ヘッド７を複数有するサブキャリッジ２１を備えている。また、孔部４０を有し、孔部４０からノズルＮが形成されるノズル形成面３５が露出する配置で、複数のサブキャリッジ２１をネジ３９によりネジ止めして取り付けるプレート部２０を備えている。なお、「孔部４０からノズルＮが形成されるノズル形成面３５が露出する配置」とは、図４で表されるような底面視で孔部４０からノズル形成面３５が見える配置であることを意味する。  
ここで、サブキャリッジ２１同士の間には、空間Ｓ（空間Ｓ１）が設けられており、ノズル形成面３５と交差する交差方向Ｇにプレート部２０を挟んで連通している。すなわち、本実施例のキャリッジ１９は、記録ヘッド７からインクを吐出することに伴ってノズル形成面３５と被記録媒体Ｐとの間の領域に発生するミストを、該連通している部分である空間Ｓ１を介して該領域から上方向に逃がすことができる構成になっている。  
このため、本実施例のキャリッジ１９は、ミストがキャリッジ１９に付着することを抑制することができる構成になっている。別の表現をすると、本実施例の記録装置１は、ミストがキャリッジ１９に付着することを抑制して記録することができる構成になっている。
【００２８】
また、図３、図４及び図６で表されるように、本実施例のキャリッジ１９は、サブキャリッジ２１同士の間の空間Ｓ１に、搬送方向Ａに沿う方向である方向Ｄに気流を発生させる気流発生部としてのファン２２を備えている。  
このため、連通している部分である空間Ｓ１を介してノズル形成面３５と被記録媒体Ｐとの間の領域から上方向に逃したミストを、ファン２２による気流により効果的にキャリッジ１９から離れた位置まで移動させることができる。
【００２９】
また、図４及び図５で表されるように、本実施例のキャリッジ１９は、孔部４０の往復移動方向Ｂにおける一端側Ｂ１及び他端側Ｂ２に空間Ｓ（空間Ｓ２）が生じるように、プレート部２０にサブキャリッジ２１が取り付けられている。  
別の表現をすると、サブキャリッジ２１（一端側サブキャリッジ２１ａ、中央サブキャリッジ２１ｂ、他端側サブキャリッジ２１ｃ）のうちプレート部２０の一端側Ｂ１に取り付けられる一端側サブキャリッジ２１ａと、孔部４０におけるプレート部２０の一端側Ｂ１の端部と、の間は、交差方向Ｇにプレート部２０を挟んで連通している。そして、プレート部２０の他端側Ｂ２に取り付けられる他端側サブキャリッジ２１ｃと、孔部４０におけるプレート部２０の他端側Ｂ２の端部と、の間は、交差方向Ｇにプレート部２０を挟んで連通している。  
このような構成により、一端側サブキャリッジ２１ａとプレート部２０の一端側Ｂ１の端部との間（空間Ｓ２）から及び他端側サブキャリッジ２１ｃとプレート部２０の他端側Ｂ２の端部との間（空間Ｓ２）からもミストを逃がすことが可能な構成になっている。このため、ミストがキャリッジ１９に付着することを効果的に抑制している。  
なお、一端側Ｂ１及び他端側Ｂ２と、一端側サブキャリッジ２１ａ及び他端側サブキャリッジ２１ｃと、の対応関係は逆でもよい。また、一端側Ｂ１及び他端側Ｂ２の少なくとも一方が交差方向Ｇにプレート部２０を挟んで連通していれば、空間Ｓ１からだけでなく空間Ｓ２からもミストを逃がすことが可能になるので、ミストがキャリッジ１９に付着することを効果的に抑制できる。
【００３０】
ここで、空間Ｓ１に対応するサブキャリッジ２１同士の間隔は、５ｍｍ以上６０ｍｍ以下であることが好ましい。  
ここで、「サブキャリッジ２１同士の間隔は、５ｍｍ以上６０ｍｍ以下である」とは、サブキャリッジ２１同士の間の最も狭いところにおける間隔が５ｍｍ以上であり、サブキャリッジ２１同士の間の最も広いところにおける間隔が６０ｍｍ以下であるという意味である。  
サブキャリッジ２１同士の間隔を５ｍｍ以上６０ｍｍ以下とすることにより、ミストがキャリッジ１９に付着することを効果的に抑制することができるとともに、キャリッジ１９が巨大化するのを抑制することができるためである。
【００３１】
また、図３から図６で表されるように、本実施例のキャリッジ１９は、複数のサブキャリッジ２１がプレート部２０に相対移動方向Ｂに並べて設けられている。  
ここで、キャリッジ１９を相対移動方向Ｂに往復移動させると、ノズル形成面３５と被記録媒体Ｐとの間の領域において、相対移動方向Ｂと交差する方向（搬送方向Ａに沿う方向）の回転軸を有する乱流が発生する。このため、キャリッジ１９の往復移動に伴って、この乱流により、サブキャリッジ２１同士の間の連通している部分である空間Ｓ１を介して、ノズル形成面３５と被記録媒体Ｐとの間の領域に発生するミストを効果的に上方向に逃がすことができる。したがって、本実施例のキャリッジ１９は、ミストがキャリッジ１９に付着することを効果的に抑制することができる構成になっている。
【００３２】
ここで、本実施例の記録装置１は、上記のように、被記録媒体Ｐを搬送方向Ａに間欠搬送させる搬送機構３を備えており、キャリッジ１９の移動部であるキャリッジモーター３０は、間欠搬送の停止時にキャリッジ１９を被記録媒体Ｐの搬送方向Ａと交差する往復移動方向Ｂに移動させる構成である。すなわち、本実施例の記録装置１は、所謂シリアルタイプの記録装置である。このため、シリアルタイプの記録装置において、ミストがキャリッジ１９に付着することを抑制して記録することができる構成である。
【００３３】
ただし、このような構成に限定されない。例えば、被記録媒体Ｐの搬送方向Ａと交差する方向にノズルＮが並べられるラインヘッドを有するサブキャリッジを複数備え、該サブキャリッジとプレート部２０との位置関係が本実施例のキャリッジ１９と同様の構成（空間Ｓを設ける構成）のヘッドユニットを用い、移動部としての搬送機構がヘッドユニットに対して被記録媒体Ｐを搬送する（相対移動させる）構成の記録装置としてもよい。  
このような構成とすることで、空間Ｓを介してミストを逃がすことができ、ラインヘッドに対して被記録媒体Ｐを搬送する構成の記録装置において、ミストがヘッドユニットに付着することを抑制して記録することができる。  
ここで、「ラインヘッド」とは、被記録媒体Ｐの搬送方向Ａと交差する方向に形成されたノズルＮの領域が、被記録媒体Ｐの搬送方向Ａと交差する方向全体をカバー可能なように設けられ、記録ヘッド又は被記録媒体Ｐを相対的に移動させて画像を形成する記録装置に用いられる記録ヘッドである。なお、ラインヘッドの搬送方向Ａと交差する方向のノズルＮの領域は、記録装置が対応している全ての被記録媒体Ｐの搬送方向Ａと交差する方向全体をカバー可能でなくてもよい。
【００３４】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３５】
本発明の第１の態様のヘッドユニット１９は、ノズルＮから液体を吐出可能な記録ヘッド７を複数有するサブキャリッジ２１と、孔部４０を有し、孔部４０からノズルＮが形成されるノズル形成面３５が露出する配置で、サブキャリッジ２１を複数取り付けるプレート部２０と、を備え、サブキャリッジ２１同士の間は、ノズル形成面３５と交差する交差方向Ｇにプレート部２０を挟んで連通していることを特徴とする。
【００３６】
本態様によれば、孔部４０からノズル形成面３５が露出する配置でサブキャリッジ２１を複数取り付けるプレート部２０を備え、サブキャリッジ２１同士の間はノズル形成面３５と交差する交差方向Ｇにプレート部２０を挟んで連通している。すなわち、記録ヘッド７から液体を吐出することに伴ってノズル形成面３５と被記録媒体Ｐとの間の領域に発生するミストを、該連通している部分（空間Ｓ１）を介して該領域から逃がすことができる。このため、ミストがヘッドユニット１９に付着することを抑制することができる。
【００３７】
本発明の第２の態様のヘッドユニット１９は、前記第１の態様において、サブキャリッジ２１同士の間に気流を発生させる気流発生部２２を備えることを特徴とする。
【００３８】
本態様によれば、サブキャリッジ２１同士の間に気流を発生させる気流発生部２２を備える。このため、連通している部分（空間Ｓ１）を介してノズル形成面３５と被記録媒体Ｐとの間の領域から逃したミストを、気流発生部２２による気流により効果的に移動させることができる。
【００３９】
本発明の第３の態様のヘッドユニット１９は、前記第１又は第２の態様において、サブキャリッジ２１のうちプレート部２０の一端側Ｂ１に取り付けられる一端側サブキャリッジ２１ａと、孔部４０におけるプレート部２０の一端側Ｂ１の端部と、の間は、交差方向Ｇにプレート部２０を挟んで連通していることを特徴とする。
【００４０】
本態様によれば、一端側サブキャリッジ２１ａと孔部４０におけるプレート部２０の一端側Ｂ１の端部との間は、交差方向Ｇにプレート部２０を挟んで連通している。すなわち、一端側サブキャリッジ２１ａと孔部４０におけるプレート部２０の一端側Ｂ１の端部との間（空間Ｓ２）からもミストを逃がすことが可能な構成になっている。このため、ミストがヘッドユニット１９に付着することを効果的に抑制することができる。
【００４１】
本発明の第４の態様のヘッドユニット１９は、前記第１から第３のいずれか１つの態様において、サブキャリッジ２１同士の間隔は、５ｍｍ以上６０ｍｍ以下であることを特徴とする。
【００４２】
ここで、「サブキャリッジ２１同士の間隔は、５ｍｍ以上６０ｍｍ以下である」とは、サブキャリッジ２１同士の間の最も狭いところにおける間隔が５ｍｍ以上であり、サブキャリッジ２１同士の間の最も広いところにおける間隔が６０ｍｍ以下であるという意味である。  
本態様によれば、サブキャリッジ２１同士の間隔は、５ｍｍ以上６０ｍｍ以下である。このため、ミストがヘッドユニット１９に付着することを効果的に抑制することができるとともに、ヘッドユニット１９が巨大化するのを抑制することができる。
【００４３】
本発明の第５の態様の記録装置１は、前記第１から第３のいずれか１つの態様のヘッドユニット１９を備えることを特徴とする。
【００４４】
本態様によれば、ミストがヘッドユニット１９に付着することを抑制して記録することができる。
【００４５】
本発明の第６の態様の記録装置１は、前記第５の態様において、ヘッドユニット１９と被記録媒体Ｐとを相対的に移動させる移動部３０と、ヘッドユニット１９と被記録媒体Ｐとの相対移動方向Ｂと交差する方向Ａに被記録媒体Ｐを間欠搬送させる搬送部３を備え、移動部３０は、前記間欠搬送の停止時にヘッドユニット１９と被記録媒体Ｐとを相対的に移動させることを特徴とする。
【００４６】
本態様によれば、ヘッドユニット１９と被記録媒体Ｐとを相対的に移動させる移動部３０と、ヘッドユニット１９と被記録媒体Ｐとの相対移動方向Ｂと交差する方向Ａに被記録媒体Ｐを間欠搬送させる搬送部３を備え、移動部３０は、前記間欠搬送の停止時にヘッドユニット１９と被記録媒体Ｐとを相対的に移動させる。すなわち、所謂シリアルタイプの記録装置である。このため、シリアルタイプの記録装置において、ミストがヘッドユニット１９に付着することを抑制して記録することができる。
【００４７】
本発明の第７の態様の記録装置１は、前記第６の態様において、複数のサブキャリッジ２１は、プレート部２０に、相対移動方向Ｂに並べて設けられることを特徴とする。
【００４８】
本態様によれば、複数のサブキャリッジ２１は、プレート部２０に、相対移動方向Ｂに並べて設けられる。このため、ヘッドユニット１９の往復移動に伴って、サブキャリッジ２１同士の間の連通している部分（空間Ｓ１）を介して、ノズル形成面３５と被記録媒体Ｐとの間の領域に発生するミストを効果的に逃がすことができる。したがって、ミストがヘッドユニット１９に付着することを効果的に抑制することができる。
【００４９】
本発明の第８の態様の記録装置１は、前記第５の態様において、ヘッドユニット１９に対して被記録媒体Ｐを搬送する搬送部を備え、記録ヘッドは、被記録媒体Ｐの搬送方向Ａと交差する方向にノズルＮが並べられるラインヘッドであることを特徴とする。
【００５０】
本態様によれば、ヘッドユニット１９に対して被記録媒体Ｐを搬送する搬送部を備え、記録ヘッドは被記録媒体Ｐの搬送方向Ａと交差する方向にノズルが並べられるラインヘッドである。このため、ラインヘッドに対して被記録媒体Ｐを搬送する構成の記録装置において、ミストがヘッドユニット１９に付着することを抑制して記録することができる。
【符号の説明】
【００５１】
１…記録装置、２…繰出部、３…搬送機構（搬送部）、４…記録機構、
５…繰出部２の回転軸、６…従動ローラー、７…記録ヘッド、８…搬送ローラー、
９…従動ローラー、１０…粘着性ベルト、１１…従動ローラー、１２…加圧ローラー、
１３…洗浄ブラシ、１４…トレイ、１５…洗浄機構、１６…カッター、１７…巻取軸、
１８…巻取機構、１９…キャリッジ（ヘッドユニット）、２０…プレート部、
２１…サブキャリッジ、２１ａ…一端側サブキャリッジ、
２１ｂ…中央サブキャリッジ、２１ｃ…他端側サブキャリッジ、
２２…ファン（気流発生部）、２３…制御部、２４…ＣＰＵ、２５…システムバス、
２６…ＲＯＭ、２７…ＲＡＭ、２８…ヘッド駆動部、２９…モーター駆動部、
３０…キャリッジモーター（移動部）、３１…搬送モーター、３２…繰出モーター、
３３…巻取モーター、３４…ファンモーター、３５…ノズル形成面、
３６…カッター駆動部、３７…入出力部、３８…ＰＣ、３９…ネジ、４０…孔部、
Ｆ…支持面、Ｎ…ノズル、Ｐ…被記録媒体、Ｒ１…被記録媒体Ｐのロール、
Ｒ２…被記録媒体Ｐのロール、Ｓ…空間
【図１】
2016137648.tif 000003
【図２】
2016137648.tif 000004
【図３】
2016137648.tif 000005
【図４】
2016137648.tif 000006
【図５】
2016137648.tif 000007
【図６】
2016137648.tif 000008